(57)【特許請求の範囲】
【請求項１】
シートをスキャンして前記シートのカラー画像を取得する取得部と、
前記取得部によって取得されるカラー画像を、記憶部に記憶されているパラメータに従い、１つまたは複数の特定色が他の色よりも濃いモノクロ画像となるように変換し、第１モードが選択される場合、青系統の色を特定色としてモノクロ画像を作成し、第２モードが選択される場合、青系統の色および黒系統の色を特定色としてモノクロ画像を作成し、いずれのモードも選択されない場合、特定色を他の色よりも濃くすることなく、モノクロ画像を作成する制御部と、
を有する画像形成装置。
【請求項２】
請求項１に記載の画像形成装置において、
前記制御部は、さらに、前記取得部によって取得されるカラー画像を、前記特定色以外の色が薄くなるようにモノクロ画像に変換する
画像形成装置。
【請求項３】
請求項１または２に記載の画像形成装置において、
前記青系統の特定色は、消色装置で消色することが可能な色材の色である
画像形成装置。
【請求項４】
請求項３に記載の画像形成装置において、
前記第１モードが選択される場合、前記制御部は、前記カラー画像の各画素の赤色を示す値、緑色を示す値、青色を示す値のうち、青色を示す値を他の２色よりも濃い値となるようにする
画像形成装置。
【請求項５】
請求項１乃至４のいずれか１項に記載の画像形成装置において、
前記制御部は、前記取得部で取得されるカラー画像の各画素の赤色の値をＲｉ、緑色の値をＧｉ、青色の値をＢｉとし、前記パラメータをＤ００からＤ０９までとする場合、変換後のモノクロ画像の画素値を、
Ｒｉ×Ｄ００＋Ｇｉ×Ｄ０１＋Ｂｉ×Ｄ０２＋Ｒｉ２×Ｄ０３＋Ｇｉ２×Ｄ０４＋Ｂｉ２×Ｄ０５＋Ｒｉ×Ｇｉ×Ｄ０６＋Ｇｉ×Ｂｉ×Ｄ０７＋Ｂｉ×Ｒｉ×Ｄ０８＋Ｄ０９
を用いて算出する
画像形成装置。
【請求項６】
請求項５に記載の画像形成装置において、
前記パラメータの値であるＤ０２、Ｄ０５、Ｄ０７のうちで最も小さい値が、前記パラメータの値であるＤ００、Ｄ０１、Ｄ０３、Ｄ０４、Ｄ０６、Ｄ０８、Ｄ０９のうちの最も大きい値よりも大きい
画像形成装置。
【請求項７】
請求項１乃至６のいずれか１項に記載の画像形成装置において、さらに、
ユーザから、前記第１モードまたは前記第２モードの指定を受け付けるコントロールパネルを有し、
前記記憶部は、前記複数のモードごとに、パラメータを複数記憶し、
前記制御部は、前記コントロールパネルから受け付けられたモードに関する値を取得し、該モードの値に基づき、対応したパラメータを前記記憶部から取得し、該パラメータに従いカラー画像をモノクロ画像に変換する
画像形成装置。
【請求項８】
画像形成装置が、
シートをスキャンして前記シートのカラー画像を取得し、
取得されるカラー画像を、記憶部に記憶されているパラメータに従い、１つまたは複数の特定色が他の色よりも濃いモノクロ画像となるように変換し、
第１モードが選択される場合、青系統の色を特定色としてモノクロ画像を作成し、
第２モードが選択される場合、青系統の色および黒系統の色を特定色としてモノクロ画像を作成し、
いずれのモードでもない場合、特定色を他の色よりも濃くすることなく、モノクロ画像を作成する
画像処理方法。
【発明の詳細な説明】
【技術分野】
【０００１】
この明細書に記載の実施形態は、特定色の色材で印刷されたシートを、読み易く印刷する技術に関する。
【背景技術】
【０００２】
消色装置で消色することができる色材として、主に青色など濃度の薄い色材が採用されている。
【発明の概要】
【発明が解決しようとする課題】
【０００３】
このような消去可能な色材など、特定色で印刷された原稿を読み取り、複製する場合、スキャンにより読み取られた画像濃度（入力濃度）は一般的な黒色色材と比べて薄くなり、さらにシート上に印刷される場合はトナー濃度（出力濃度）も色材の色で再現されるため薄くなる。よって二重に薄く再現されることになり、印刷後のシート上の画像が見づらくなる。
【０００４】
従来、モノクロ印刷する画像形成装置で、特定色の色材で印刷された原稿を見やすく印刷するには、ユーザがタッチパネルを用いて画質調整を行うか、もしくはサービスマンによる自己診断調整を使用した画像濃度調整を行う必要がある。この場合、ユーザ所望の印刷物を得るためには、何度か繰り返し印刷し、確認する必要がある。
【０００５】
さらには、グレイスケールなどモノクロでスキャンする場合、カラー画像がモノクロ画像に変換されることとなる。モノクロ画像の場合、スキャン対象のシート上に印刷された色材の色（例えば青）と、加筆やシート上の汚れによる他の色彩（黒や茶色等）とを区別することができない。よって、見やすくするため出力濃度を濃くする設定を行う場合、加筆やシート上の汚れも同時に強調される。
【０００６】
本実施形態は上述した問題点を解決するためになされたものであり、特定色の色材で印刷された原稿をスキャンや印刷するときに、より適切な濃度階調に再現することができる技術を提供する。
【課題を解決するための手段】
【０００７】
実施形態の画像形成装置は、取得部と、制御部とを有する。取得部は、シートをスキャンしてシートのカラー画像を取得する。制御部は、取得部によって取得されるカラー画像を、記憶部に記憶されているパラメータに従い、１つまたは複数の特定色が他の色よりも濃いモノクロ画像となるように変換する。
【図面の簡単な説明】
【０００８】
【図１】画像形成装置の構成例を示す図である。
【図２】実施形態の制御ボードの内部構成の一例を主に示すブロック図である。
【図３】実施形態のコントロールパネルに表示されるモード選択画面の一例を示す図である。
【図４】実施形態の色変換処理に使用される計算式の一例を示す図である。
【図５】通常モードが選択される場合の印刷結果の一例と、特色モードが選択される場合の印刷結果の一例とを示す図である。
【図６】実施形態の画像形成装置の動作の一例を示すフローチャートである。
【発明を実施するための形態】
【０００９】
本実施形態の画像形成装置は、例えば消色可能なトナーなどで印刷された原稿を、カラースキャナで読み取り、原稿の色彩に応じた適切な濃度階調となるように変換する。これにより、消色可能なトナーの色などの特定色を強調することが可能となる。
【００１０】
また本実施形態の画像形成装置には、黒色色材で印刷された原稿を対象とした通常モードとは別に、特定色の色材で印刷された原稿を濃く出力するモードが設けられる。これにより、繰り返し画像の再現をユーザが確認することなく、タッチパネルのワンタッチ操作で、簡潔に特定色を強調した印刷／スキャンを行うことができる。
【００１１】
本実施形態では、消去装置が消去可能なトナー色（例えば青系統の色）を特定色として説明し、カラーをモノクロで印刷する際、この特定色を色濃く強調する動作について説明する。特定色はこれに限らず、ユーザが所望する色で構わない。ユーザは、当該画像形成装置の出荷前の構築時、出荷された後の運用時においても、パラメータを変更することで任意に特定色を指定することができる。
【００１２】
モノクロや単色とは、１色を用いて中間調を再現することを指し、本実施形態では、黒色で中間調を再現することとする（グレイスケールにする）。
【００１３】
また「濃くなる」や「濃い」とは、明度が低くなるように遷移する様子や、明度が低い状態を含み、モノクロ画像（グレイスケール画像）においては、色が白色から黒色に遷移する様子、白色よりも黒色に近い状態を含む。また逆に、「薄くなる」や「薄い」は、明度が高くなるように遷移する様子や、明度が高い状態を含み、モノクロ画像（グレイスケール画像）においては、色が黒色から白色に遷移する様子、黒色よりも白色に近い状態を含む。
【００１４】
図１は、本実施形態における画像形成装置の構成を示す縦断面図である。図１に示すように、本実施形態による画像形成装置１００は、印刷処理やスキャナ処理、ＦＡＸ送受信を行うＭＦＰ（Multi Function Peripheral）であり、画像読取部Ｒ（取得部）と、画像形成部Ｐとを備える。
【００１５】
画像読取部Ｒは、シート原稿およびブック原稿の画像をスキャンして読み取る。画像読取部Ｒは、原稿を所定の画像読取位置まで搬送する自動原稿搬送装置（ＡＤＦ：Auto Document Feeder）９を備えており、この自動原稿搬送装置９によって搬送される原稿トレイ（所定の原稿載置台）Ｒｔに載置された原稿や、不図示の原稿台に載置される原稿の画像を、読取装置１０によって読み取る。
【００１６】
読取装置１０は、発光体やＣＣＤイメージセンサ（Charge Coupled Device Image Sensor）を有する。発光体は、透過ボード上に配置される原稿に可視光を照射する。ＣＣＤイメージセンサは、原稿からの反射光を、反射ミラーを経由して受光し、電子データに変換する。本実施形態のＣＣＤイメージセンサは、カラーセンサとモノクロセンサの２つのセンサ有するものとするが、少なくともカラーセンサがあればよい。
【００１７】
画像形成部Ｐは、画像読取部Ｒによって原稿から読み取られた画像や、外部機器（例えばパーソナルコンピュータ）から画像形成装置１００に送信された画像データ等に従い、シートに現像剤像を形成する。また、画像形成部Ｐは、ピックアップローラ５１〜５４、感光体２Ｙ〜２Ｋ、現像ローラ３Ｙ〜３Ｋ、ミキサ４Ｙ〜４Ｋ、中間転写ベルト６、定着装置７および排出トレイ８を備えている。
【００１８】
また、画像形成装置１００は、制御ボード８００（制御部）を有する。制御ボード８００は、演算処理装置（たとえばＣＰＵ（Central Processing Unit）、ＭＰＵ（Micro Processing Unit））であるプロセッサ８０１、ＡＳＩＣ（Application Specific Integrated Circuit）８０２を有し、また揮発性記憶装置、不揮発性記憶装置によって構成されるメモリ８０３を有する。プロセッサ８０１は、画像形成装置１００における各種処理を行う役割を有しており、メモリ８０３の不揮発性記憶領域に格納されているプログラムを揮発性記憶領域にロードし、ロードされたプログラムを実行する。これにより種々の機能が実現される。メモリ８０３は、例えば、ＲＡＭ（Random Access Memory）、ＲＯＭ（Read Only Memory）、ＤＲＡＭ（Dynamic Random Access Memory）、ＳＲＡＭ（Static Random Access Memory）、ＶＲＡＭ（Video RAM）、ハードディスクドライブ等から構成されることができ、画像形成装置１００において利用される種々の情報やプログラムを格納する。ＡＳＩＣ８０２は、画像読取部Ｒによって読み取られた原稿データや、外部機器より得られた画像データに対し、各種画像処理を施す。
【００１９】
画像形成装置１００は、タッチパネルディスプレイ８０６を備えるコントロールパネル８１０を有する。コントロールパネル８１０は、モードの切り替えやスタート指示等の各種指示をユーザからタッチパネルディスプレイ８０６を介して受け付け、またユーザへ処理内容を表示する。
【００２０】
以下、本実施の形態による画像形成装置１００における処理の一例として、コピー処理の概要について説明する。
【００２１】
まず、ピックアップローラ５１〜５４によりカセットからピックアップされたシートは、シート搬送路内に供給される。シート搬送路内に供給されたシートは、複数のローラ対によって所定の搬送方向へ向けて搬送される。
【００２２】
そして、自動原稿搬送装置９によって連続的に自動搬送される複数枚のシート原稿の画像が、所定の画像読取位置にて読取装置１０によって読み取られる。
【００２３】
次に、画像読取部Ｒにて原稿から読み取られた画像データに対し、制御ボード８００が画像処理を施す。画像処理後のデータに従い、イエロー（Ｙ）、マゼンタ（Ｍ）、シアン（Ｃ）およびブラック（Ｋ）の現像剤像をシートに転写する感光体２Ｙ、２Ｍ、２Ｃおよび２Ｋの感光面上に、静電潜像が形成される。
【００２４】
続いて、現像器におけるミキサ４Ｙ〜４Ｋにより攪拌された現像剤が、現像ローラ（いわゆる、マグローラ）３Ｙ〜３Ｋによって、上記のようにして静電潜像が形成された感光体２Ｙ〜２Ｋに供給される。これにより、感光体２Ｙ〜２Ｋの感光面上に形成された静電潜像が顕像化される。
【００２５】
このようにして感光体上に形成された現像剤像は、中間転写ベルト６のベルト面上に転写され（いわゆる、一次転写）、中間転写ベルトの回転によって搬送される現像剤像は、所定の二次転写位置Ｔにて、搬送されるシート上に転写される。
【００２６】
シート上に転写された現像剤像は、定着装置７にてシートに対して加熱定着される。現像剤象が加熱定着されたシートは、複数の搬送ローラ対によって搬送路内を搬送され、排出トレイ８上に順次排出される。
【００２７】
尚、印刷対象の画像データがグレイスケールである場合、ブラック（Ｋ）のミキサ、現像ローラ、感光体が動作し、その他の色のユニットは動作しない。
【００２８】
図２は、制御ボード８００の内部構成の一例を主に示したブロック図である。上述の通り制御ボード８００は、プロセッサ８０１、ＡＳＩＣ８０２、メモリ８０３を含む構成であるが、ＡＳＩＣ８０２は、本実施形態では更に集積回路で実装された色変換処理部８１、画像処理部８２、ガンマ補正・中間処理部８３を含んでいる。尚、色変換処理部８１、画像処理部８２、ガンマ補正・中間処理部８３のうちの一部もしくは全部は、ＡＳＩＣ上での実装ではなく、ＰＬＤ（programmable logic device）での実装でもよい。またプロセッサ８０１、メモリ８０３、プログラムが協働して処理を行う、とする実装でもよい。この場合、メモリ８０３に事前に記憶されているプログラムをプロセッサ８０１がロードして演算実行する。
【００２９】
色変換処理部８１は、画像読取部Ｒにより読み取られた、レッド（Ｒ）、グリーン（Ｇ）、ブルー（Ｂ）のスキャン信号（カラー画像）を画像読取部Ｒから取得し、色変換処理を行って適切な濃度階調の単色信号（Ｋ）（モノクロ画像）に変換する。
【００３０】
色変換処理部８１は、画像読取部Ｒによって取得されるカラー画像を、メモリ８０３に記憶されているパラメータに従い、特定色が他の色よりも濃いモノクロ画像となるように変換する。また色変換処理部８１は、画像読取部Ｒによって取得されるカラー画像を、特定色以外の色が薄くなるようにモノクロ画像に変換する。色変換処理部８１の具体的な動作内容については後述する。
【００３１】
画像処理部８２は、モノクロ画像データを取得し、従前技術を用いて各種画像処理を実施する。スキャナ処理の場合、画像処理部８２で処理された画像データは、パーソナルコンピュータ等で認識可能な所定フォーマットに変換され、メモリ８０３もしくは外部記憶装置に記憶される。
【００３２】
ガンマ補正・中間調処理部８３は、画像処理部８２からモノクロ画像データを取得し、画像形成部Ｐの出力デバイスの特性を考慮したガンマ補正を行う。またガンマ補正・中間調処理部８３は、ディザリング等を行うことで中間色を表現する処理を行う。ガンマ補正・中間調処理部８３で処理された画像データは、画像形成部Ｐに出力されてシート上に印刷される。
【００３３】
印刷処理やスキャナ処理を行う際、コントロールパネル８１０はユーザから各調整値（予め定義されているモードに関する値やトナー出力濃度の度合い等）を取得し、プロセッサ８０１やメモリ８０３に調整値が渡される。尚、ユーザによりモードの指示が無い場合、プロセッサ８０１やメモリ８０３にはデフォルトの調整値が渡される。
【００３４】
メモリ８０３には、モード値とＡＳＩＣ８０２に渡されるパラメータとが対応付けられて記憶されている。モードが複数ある場合、メモリ８０３には、モードごとにパラメータが記憶される。プロセッサ８０１は、モード値に対応したパラメータの値を、メモリ８０３から取得してＡＳＩＣ８０２内のレジスタに書き込む。ＡＳＩＣ８０２内の色変換処理部８１、画像処理部８２、ガンマ補正・中間調処理部８３は、これらパラメータをレジスタから取得し、このパラメータを用いて処理を行う。尚、パラメータの値は、画像形成装置１００の製品出荷後でも変更することができる。
【００３５】
コントロールパネル８１０のタッチパネル８０６上には、図３に示すように特色モード用のボタンＢ１、Ｂ２が設けられている。これらボタンのうちの１つが押され、スタートボタンＢ３が押されることで、画像読取部Ｒはカラーセンサで原稿データを読み取り、色変換処理部８１はカラー画像を原稿の色彩に応じた適切な濃度階調のモノクロ画像に変換する。ボタンＢ１、Ｂ２が選択されずにスタートボタンＢ３が押下される場合は通常（デフォルト）のモードとなる。
【００３６】
本実施形態では、消色トナーの青系統の色を強調して他の色については薄く、もしくは像形成しないようにモノクロ変換する「特色モードＡ」、および、消色トナーの青系統の色と筆記色（黒系統の色）とを強調して他の色については薄く、もしくは像形成しないようにモノクロ変換する「特色モードＢ」の２つの特色モードが事前に用意されている。「特色モードＡ」ボタンＢ１、または「特色モードＢ」ボタンＢ２のいずれかが押されることで、いずれか一方の特色モードとして読み取られ、画像処理が行われる。尚、ボタンＢ１、Ｂ２のいずれも押されない場合、画像読取部Ｒは、デフォルトの動作として、モノクロの単調信号（Ｋ）で原稿データをスキャンし、その後、画像処理部８２、ガンマ補正・中間調処理部８３で画像処理が行われる。
【００３７】
図４に、色変換処理部８１で演算される、Ｒ、Ｇ、Ｂをモノクロ（Ｋ）にする計算式の一例を示す。図４の「Ｍｏｎｏ」は、範囲を０から２５５までとしたモノクロ値であり、Ｄ００〜Ｄ０９は、係数（パラメータの値）である。またＲｉ、Ｇｉ、Ｂｉは画像読取部Ｒより得られるＲＧＢの信号値である。本実施形態では、Ｒｉ、Ｇｉ、Ｂｉの各値の範囲は０から２５５までとし、Ｒｉ、Ｇｉ、Ｂｉの各値が全て０の場合が白色、全て２５５の場合が黒色であるものとする。またモノクロ値は、値０を白色（シート上へのトナー出力無し）とし、増加する毎に色が濃くなり、値２５５を黒色とている。またＤ００〜Ｄ０９の取り得る値は０から１までの間の実数値とし、Ｄ００〜Ｄ０９の合計値が１となるように選定される。
【００３８】
色変換処理部８１は、係数Ｄ００〜Ｄ０９を行ベクトルとし、Ｒｉ、Ｇｉ、Ｂｉの各信号値、Ｒｉ、Ｇｉ、Ｂｉの各信号値を二乗にしたＲｉ２、Ｇｉ２、Ｂｉ２、およびＲｉ、Ｇｉ、Ｂｉを互いに掛け合わせたＲｉＧｉ、ＧｉＢｉ、ＢｉＲｉや定数１を列ベクトルとする場合、その内積を算出する。本例では内積値に定数２５５を掛け合わせ、これをモノクロ値としているが、これは内積値をモノクロ値のオーダーに正規化するためのものである。
【００３９】
消色トナーの色を強調する「特色モードＡ」の場合、消色トナーの色である青色を示す値と掛け合わされる係数を強調した値とし、その他の係数を抑えた値とする。具体的には、青色系統のデータであるＢｉ、Ｂｉ２、ＧｉＢｉと掛け合わされる係数Ｄ０２、Ｄ０５、Ｄ０７の値を大きく設定し、その他の係数Ｄ００、Ｄ０１、Ｄ０３、Ｄ０４、Ｄ０６、Ｄ０８、Ｄ０９の値を小さく設定する。設定の一例としては係数Ｄ０２、Ｄ０５、Ｄ０７のうちで最も小さい値が、係数Ｄ００、Ｄ０１、Ｄ０３、Ｄ０４、Ｄ０６、Ｄ０８、Ｄ０９のうちの最も大きい値よりも大きくなるように設定する。これにより、消色トナーの色を濃くし、加筆や汚れ等の他の色を弱めて印刷する（もしくは印刷されないようにする）ことが可能となる。
【００４０】
消色トナーの色と、黒色（加筆の色）とを強調する「特色モードＢ」が選択されている場合も同様であり、「特色モードＡ」の係数とは異なる係数を設定することで、消色トナーの色と黒色とが強調される。
【００４１】
尚、Ｒｉ、Ｇｉ、Ｂｉの信号値や出力されるモノクロ値の階調値、係数Ｄ００〜Ｄ０９の値については、これに限らない。黒色を０とし、２５５を白色とする順序でもよく、取り得る値も０から２５５までの範囲で無くてもよい。またＤ００〜Ｄ０９の合計値を１とする必要もなく、０から１までの間の実数値とする必要もない。この点は、画像形成部Ｐのトナー出力特性やＡＳＩＣ８０２の設計仕様等に依拠する。
【００４２】
また図４に示す計算式は一例であり、Ｒの値、Ｇの値、Ｂの値の各値を少なくとも用い、またこれらの値に重み付けを行う係数（パラメータ）を用いる計算式であればよい。
【００４３】
ここで、通常（デフォルト）のモードでの処理結果と、色変換処理部８１が用いられる場合の処理結果について、図５を用いて説明する。図５は、通常モードで処理された場合の、調整後の画像データを上段に示し、また「特色モードＡ」が選択された場合の調整後の画像データを下段に示した図である。図５で例示する処理対象の原稿上の「Ａ」、「Ｂ」は、消色トナーで形成された箇所である。また原稿上には、汚れやユーザの手書き箇所もある。
【００４４】
通常モードのモノクロ印刷の場合、画像処理後のデータでも、汚れや手書き箇所がそのまま残ることとなる（図５の上段）。一方、図３に示すボタンＢ１が押下され、ユーザにより特色モードＡが選択される場合、カラー画像は図４に示した計算式によりモノクロ画像に変換される。これにより、特定色である消色トナーの色は強調され、その他の色は除去、もしくは薄くなる（図５の下段）。
【００４５】
このように本実施形態では、タッチパネル８０６上の原稿モード選択画面に、消色トナー等の特定色を強調するモード（特色モードＡ）、青色と黒色を強調するモード（特色モードＢ）に対応したボタンＢ１、Ｂ２を設けることで、プロセッサ８０１は、ユーザ所望のモード値を取得することができる。メモリ８０３には、特色モードＡの係数および特色モードＢの係数の各マトリクステーブルが事前に記憶されており、プロセッサ８０１は、モード値に応じたマトリクステーブルの値を取得し、ＡＳＩＣ８０２のレジスタに設定する。
【００４６】
色変換処理部８１により変換されたモノクロ画像データは、その後、画像処理部８２やガンマ補正・中間調処理部８３により各種画像処理が行われ、印刷処理の場合は画像形成部Ｐにより、シート上に上述の色変換処理後の像が形成される。またスキャン処理の場合、色変換処理後の画像はメモリ８０３に記憶される。
【００４７】
次に、画像形成装置１００の動作例を図６のフローチャートを参照しつつ説明する。
【００４８】
まずユーザは、図３に示すモード選択画面を用いて、モード値や濃度度合いの値等を選択し（ＡＣＴ００１）、スタートボタンＢ３を押す。このとき、ボタンＢ１、Ｂ２のいずれも押されていない場合は、動作は通常モードとなり、ＡＣＴ１０１〜ＡＣＴ１０４の処理が実行される。またボタンＢ１が押されている場合、動作は特色モードＡとなり、ＡＣＴ２０１〜ＡＣＴ２０５の処理が実行される。ボタンＢ２が押されている場合、動作は特色モードＢとなり、ＡＣＴ３０１〜ＡＣＴ３０５の処理が実行される。
【００４９】
通常モードの場合、スタートボタンＢ３が押されると（ＡＣＴ１０１）、画像読取部Ｒはモノクロセンサを用いて原稿を読み取る（ＡＣＴ１０２）。尚、カラーセンサのみ搭載する画像形成装置の場合、原稿はカラーセンサで読み取られる。
【００５０】
プロセッサ８０１は、通常モード用のパラメータをメモリ８０３から取得してＡＳＩＣ８０２のレジスタに設定する（ＡＣＴ１０３）。その後、画像処理部８２やガンマ補正・中間調処理部８３は、レジスタに設定されたパラメータ値を用いて、各種画像処理を行う（ＡＣＴ１０４）。
【００５１】
また、ＡＣＴ００１で特色モードＡが選択されてスタートボタンＢ３が押されると（ＡＣＴ２０１）、画像読取部Ｒは、カラーセンサを用いて原稿画像を読み取る（ＡＣＴ２０２）。プロセッサ８０１は、特色モードＡ用のパラメータをメモリ８０３から取得してＡＳＩＣ８０２のレジスタに設定する（ＡＣＴ２０３）。特色モードＡ用のパラメータには、消色トナーの色を強調する係数Ｄ００〜Ｄ０９が含まれる。
【００５２】
色変換処理部８１は、係数Ｄ００〜Ｄ０９をレジスタから取得し、また画像読取部Ｒによって読み取られた信号値（Ｒｉ、Ｇｉ、Ｂｉ）を取得し、図４に示す計算式を用いてモノクロ値を算出する（ＡＣＴ２０４）。この処理は、対象となる画像データの画素ごとに行われる。
【００５３】
色変換処理部８１により色変換されたモノクロ画像は、その後、画像処理部８２やガンマ補正・中間調処理部８３により各種画像処理が行われる（ＡＣＴ２０５）。
【００５４】
ＡＣＴ００１で特定モードＢが選択される場合、スタートボタンＢ３の押下（ＡＣＴ３０１）、カラーセンサを用いた原稿読取り（ＡＣＴ３０２）、特定モードＢ用のパラメータ設定（ＡＣＴ３０３）、色変換処理（ＡＣＴ３０４）、各種画像処理（ＡＣＴ３０５）の各種処理が実行される。これらは、ＡＣＴ３０３で設定されるパラメータ値が異なること以外は、特定モードＡが選択される場合と同様の動作となる（ＡＣＴ２０１〜ＡＣＴ２０５参照）。
【００５５】
上記例では、消色トナーの色を特定色として説明したが、係数Ｄ００〜Ｄ０９を変更、調整することで、どのような色でも特定色として強調させることができ、また特定色以外の他の色を減色もしくは除去することができる。
【００５６】
上記例では、特定色が濃くなるように、予め定義されている係数Ｄ００〜Ｄ０９、および読み取られたＲｉ、Ｇｉ、Ｂｉの値をＡＳＩＣが取得し、図４に示す計算式を用いて色変換を行うものとして説明した。この態様以外にも、例えばＲ、Ｇ、Ｂごとに、１つまたは複数の閾値を事前に定義し、この閾値と読み取られたＲ、Ｇ、Ｂ値（以下、画像読取部Ｒで読み取られたＲ、Ｇ、Ｂの値をスキャン値と称する）とを比較することで、ユーザ所望の特定色が濃くなるようにする実装でもよい。例えば消色トナーのＲ、Ｇ、Ｂ値の設計値や実測値を事前に入手しておき、この消色トナーのＲ、Ｇ、Ｂ値の許容範囲となる閾値を設ける。スキャン値が閾値の範囲内であれば、例えばモノクロ値を２５５等の高い値にすることで、当該画素は色濃く出力される。またスキャン値が範囲外であれば、モノクロ値を例えば０などの低い値にすることで、当該画素は出力されない、もしくは薄く出力される。当然、複数のモードが設けられる場合は、モードごとに閾値が設けられる実装でよい。
【００５７】
この閾値による色変換処理と、図４を用いた色変換処理とを合わせて行ってもよい。例えば、閾値処理で対象となる色を絞り、その後、図４の計算式を用いて色変換する、とする実装でもよい。閾値処理と図４の計算式を用いた処理との順序はこれに限らず、逆順でもよい。
【００５８】
また上記例では、モードごとに１つのマトリクステーブル（図４の係数Ｄ００〜Ｄ０９のセット）を用いて処理を行う例を示したが、色変換処理部８１は、２つ以上のマトリクステーブルを用い、マトリクステーブルごとにモノクロ画像を作成し、これらを合成する、とする実装でもよい。例えば色変換処理部８１は、スキャン値、青色系統を強調する係数、および図４に示す計算式を用いてモノクロ画像（ここでは第１画像とする）を作成する。且つ、色変換処理部８１は、スキャン値と例えば緑色系統を強調する係数、および図４に示す計算式を用いてモノクロ画像（ここでは第２画像とする）を作成する。色変換処理部８１は、第１画像と第２画像とを合成することで、青色系統、緑色系統の色が強調されたモノクロ画像を得ることができる。合成は、２つの画像の画素値を足し合わせる方法とするが、これに限らず、様々な方法がある。
【００５９】
またスキャン値に対し、異なる複数の処理を行って複数のモノクロ画像を作成し、これらを合成する、とする処理でもよい。例えば、色変換処理部８１は、スキャン値に対して上述の閾値処理を行いモノクロ画像を作成し、さらに、スキャン値に対して図４に示す式を用いてモノクロ画像を作成し、これらモノクロ画像を合成する。
【００６０】
より具体的に例示すると、例えば色変換処理部８１は、スキャン値に対し、Ｒ、Ｇ、Ｂの値が全て５以下（黒色もしくは黒系統の色）となる画素を閾値処理で選定し、該当する画素の値を濃くし、その他の画素の値を薄く、もしくは値を２５５にしたモノクロ画像を作成する。このようにして得られた画像を第３画像とする。また一方で、色変換処理部８１は、スキャン値に対し、青色系統を強調する係数を用いて図４の計算式で色変換処理を行い、第４画像を作成する。色変換処理部８１は、第３画像と第４画像とを合成することで、黒系統の色と青系統の色とを強調したモノクロ画像を得ることができる。
【００６１】
尚、記憶部は、本実施形態ではメモリ８０３とするが、ＡＳＩＣ８０２のレジスタとしてもよく、これらを含めて記憶部としてもよい。
【００６２】
以上に詳述したように、この明細書に記載の技術によれば、特定色の色材で印刷された原稿をスキャンや印刷するときに、より適切な濃度階調に再現することができる。
【００６３】
本発明は、その精神または主要な特徴から逸脱することなく、他の様々な形で実施することができる。そのため、前述の実施の形態はあらゆる点で単なる例示に過ぎず、限定的に解釈してはならない。本発明の範囲は、特許請求の範囲によって示すものであって、明細書本文には、なんら拘束されない。さらに、特許請求の範囲の均等範囲に属する全ての変形、様々な改良、代替および改質は、すべて本発明の範囲内のものである。
【符号の説明】
【００６４】
８１  色変換処理部、８２  画像処理部、８３  ガンマ補正・中間調処理部、１００  画像形成装置、８０１  プロセッサ、８０２  ＡＳＩＣ、８０３  メモリ、８１０  コントロールパネル、８００  制御ボード、Ｒ  画像読取部、Ｐ  画像形成部。
【図１】
0005666512.tif 000002
【図２】
0005666512.tif 000003
【図３】
0005666512.tif 000004
【図４】
0005666512.tif 000005
【図５】
0005666512.tif 000006
【図６】
0005666512.tif 000007